(57)【要約】      （修正有）【課題】放射線撮影を効率的に実施することができる放射線撮影装置、放射線撮影方法及びプログラムを提供する。【解決手段】複数の撮影プロトコルに対応させて複数の撮影方法を記憶する記憶部２３と、検査オーダに関連付けられた撮影プロトコルの撮影方法が記憶部２３に記憶された複数の撮影方法のいずれかと一致するか否かを判定する判定部２５と、判定部２５が一致すると判定した場合、該一致する撮影方法に対応する撮影プロトコルの画像処理を検査オーダに関連付けられた撮影プロトコルに基づいて撮影された放射線画像に対して適用する画像処理部２２とを備える。【選択図】図２
2020039608.tif 000002
【特許請求の範囲】
【請求項１】
複数の撮影プロトコルに対応させて複数の撮影方法を記憶する記憶部と、
検査オーダに関連付けられた撮影プロトコルの撮影方法が前記記憶部に記憶された複数の撮影方法のいずれかと一致するか否かを判定する判定部と、
前記判定部が一致すると判定した場合、該一致する撮影方法に対応する撮影プロトコルの画像処理条件を、前記検査オーダに関連付けられた撮影プロトコルに基づいて撮影された放射線画像に対して適用する画像処理部とを備えることを特徴とする放射線撮影システム。
【請求項２】
前記記憶部は、前記撮影プロトコルに対応させて、前記撮影方法と前記画像処理条件とを記憶することを特徴とする請求項１に記載の放射線撮影システム。
【請求項３】
前記判定部は、前記撮影方法における少なくとも撮影部位と撮影方向が一致するか否かを判定することを特徴とする請求項１に記載の放射線撮影システム。
【請求項４】
前記判定部は、前記検査オーダに関連付けられた撮影プロトコルの撮影部位と撮影方向が前記記憶部に記憶された撮影プロトコルの撮影部位と撮影方向と同一部位を同一方向である場合、一致すると判定することを特徴とする請求項３に記載の放射線撮影システム。
【請求項５】
前記判定部における判定条件を設定する判定条件設定部を備えることを特徴とする請求項１に記載の放射線撮影システム。
【請求項６】
前記判定条件設定部は、前記撮影部位と撮影方向に、判定パラメータを加えて判定条件を設定することを特徴とする請求項５に記載の放射線撮影システム。
【請求項７】
前記判定パラメータは、撮影姿勢、放射線発生装置における放射線の撮影条件、画像処理条件の少なくとも１つであることを特徴とする請求項６に記載の放射線撮影システム。
【請求項８】
前記判定部が一致すると判定した場合、前記画像処理部は、前記検査オーダに関連付けられた撮影プロトコルに基づいて撮影された放射線画像に対して複数の画像処理を行ない、複数の放射線画像を生成することを特徴とする請求項１に記載の放射線撮影システム。
【請求項９】
前記判定部は、前記検査オーダに関連付けられた撮影プロトコルが前記記憶部に記憶された撮影プロトコルと同一撮影方法群に属すか否かを判定することを特徴とする請求項１に記載の放射線撮影システム。
【請求項１０】
前記放射線画像を表示する表示部を備え、
前記表示部は、前記判定部において一致すると判定された撮影プロトコルに対応するアイコンを強調表示することを特徴とする請求項１に記載の放射線撮影システム。
【請求項１１】
複数の撮影プロトコルに対応させて複数の撮影方法を記憶するステップと、
検査オーダに関連付けられた撮影プロトコルの撮影方法が記憶された複数の撮影方法のいずれかと一致するか否かを判定するステップと、
前記ステップにおいて一致すると判定した場合、該一致する撮影方法に対応する撮影プロトコルの画像処理条件を、前記検査オーダに関連付けられた撮影プロトコルに基づいて撮影された放射線画像に対して適用するステップとを有する放射線撮影方法。
【請求項１２】
請求項１１に記載の放射線撮影方法をコンピュータに実行させるためのプログラム。
【発明の詳細な説明】
【技術分野】
【０００１】
本発明は、被検者に放射線を照射し、放射線画像を撮影する放射線撮影装置、放射線撮影方法及びプログラムに関する。
【背景技術】
【０００２】
被検者に放射線（例えば、Ｘ線）を照射し、当該被検者を透過した放射線の強度分布を検出して対象物の放射線画像を撮影する放射線撮影装置がある。
【０００３】
放射線を用いた検査（放射線検査）に際しては、一般に、医師によって撮影部位や撮影方法等を含む検査情報が設定される。そして、設定された検査情報に基づき放射線撮影装置を用いて放射線撮影が実施される。
【０００４】
実施される検査によっては、放射線撮影装置が同一画像に対して異なる画像処理を施し、複数の放射線画像を得る場合がある。例えば、胸部検診においては、１撮影で得た胸部の画像に対して複製処理を行い、一般的な胸部診断向けの画像処理と塵肺症診断向けの画像処理とを施し、２つの放射線画像を得ることがある。また、放射線撮影装置は、放射線を透過する部分が黒、透過しない部分が白となる一般的な放射線画像と、白黒が逆転した反転放射線画像を得たりすることもある。特許文献１では、放射線画像の当該複製方法について記載されている。
【先行技術文献】
【特許文献】
【０００５】
【特許文献１】特開２０１４−８３１２３号公報
【発明の概要】
【発明が解決しようとする課題】
【０００６】
放射線撮影に対して設定される検査オーダには、放射線画像の複製指示は含まれないため、放射線撮影を実施する技師は、撮影ごとに放射線画像の複製指示及び画像処理を行わなくてはならなかった。
【０００７】
そこで、本発明では、検査オーダに関連付けられた撮影プロトコルに基づいて画像処理を適宜行うことにより、放射線撮影を効率的に実施することができる放射線撮影装置、放射線撮影方法及びプログラムを提供することを目的とする。
【課題を解決するための手段】
【０００８】
本発明の目的を達成するため、放射線撮影システムは、複数の撮影プロトコルに対応させて複数の撮影方法を記憶する記憶部と、検査オーダに関連付けられた撮影プロトコルの撮影方法が前記記憶部に記憶された複数の撮影方法のいずれかと一致するか否かを判定する判定部と、前記判定部が一致すると判定した場合、該一致する撮影方法に対応する撮影プロトコルの画像処理条件を、前記検査オーダに関連付けられた撮影プロトコルに基づいて撮影された放射線画像に対して適用する画像処理部とを備える。
【発明の効果】
【０００９】
本発明によれば、放射線撮影を効率的に実施することができる。
【図面の簡単な説明】
【００１０】
【図１】本発明の放射線撮影システムの全体構成を示す図。
【図２】本発明の放射線撮影システムにおける制御部の構成を示す図。
【図３】本発明の放射線撮影システムにおける撮影プロトコルテーブルの構成を示す図。
【図４】本発明の放射線撮影システムの表示形態を示す図。
【図５】本発明の放射線撮影システムの動作を示すフローチャート。
【図６】本発明の放射線撮影システムの動作を示すフローチャート。
【発明を実施するための形態】
【００１１】
以下、添付図面を参照して本発明の好適な実施形態について説明する。
【実施例１】
【００１２】
本発明の実施形態について、図１を用いて説明する。図１は、放射線撮影システムの構成例を示す図である。図１に示すように、放射線撮影システムは、放射線撮影装置１と、主に検査の進捗を管理するＨＩＳ（Ｈｏｓｐｉｔａｌ  Ｉｎｆｏｒｍａｔｉｏｎ  Ｓｙｓｔｅｍ）１１とを備える。
【００１３】
また、放射線撮影システムは、検査オーダを放射線撮影装置１に伝達するＲＩＳ（Ｒａｄｉｏｌｏｇｙ  Ｉｎｆｏｒｍａｔｉｏｎ  Ｓｙｓｔｅｍ）１２を備える。さらに、放射線撮影システムは、放射線画像を管理するＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）１３と、放射線画像をプリント出力するプリンタ１４とが接続されている。
【００１４】
ＨＩＳ１１は、病院管理システムであり、検査の進捗と会計情報を管理するサーバを含んでいる。放射線撮影を行う場合、操作者は、ＨＩＳ１１の端末（入力部）より検査指示を入力する。そして、ＨＩＳ１１は、放射線撮影の依頼先である病院の放射線部門に依頼情報を伝達する。この依頼情報を検査オーダという。検査オーダには、依頼元の部門名、検査ＩＤ、検査項目、及び被検者（被検体）に関する個人データなどが含まれる。
【００１５】
放射線部門は、ＲＩＳ１２により検査オーダを受信すると、放射線撮影に関する撮影情報（撮影部位情報、撮影方向情報、及び手技情報など）を検査オーダに撮影プロトコルとして付加し、放射線撮影装置１へ伝達する。放射線撮影装置１は、受信した検査オーダに従って、放射線撮影を実施する。放射線撮影装置１は、撮影された放射線画像を取得し、放射線画像と検査オーダとを関連付けた検査情報を生成して、放射線画像とともに出力する。
【００１６】
ＰＡＣＳ１３は、放射線画像を管理するサーバである。ＰＡＣＳ１３と接続された高精細モニタによって、放射線画像の検像作業や詳細な後処理や診断作業が実施される。このように、放射線撮影装置１で取得された放射線画像は、ＰＡＣＳ１３へ伝達される。
【００１７】
また、放射線撮影装置１における検査の実施情報（画像ＩＤ及び撮影日時など）は、ＨＩＳ１１へ伝達される。ＨＩＳ１１へ伝達された実施情報は、検査の進捗管理以外に、検査後の会計処理にも用いられる。
【００１８】
放射線撮影装置１、ＨＩＳ１１、ＲＩＳ１２、ＰＡＣＳ１３、及びプリンタ１４の間は、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などで構成されるネットワーク１５を介して接続される。
【００１９】
なお、これらの各装置には、１つ又は複数のコンピュータが含まれる。コンピュータには、例えば、ＣＰＵなどの主制御手段、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶手段が備えられている。また、コンピュータには、ネットワークカードなどの通信手段、キーボード、ディスプレイ、及びタッチパネルなどの入出力手段などが備えられていてもよい。これらの各構成手段は、バスなどにより電気的に接続され、主制御手段が記憶手段に記憶されたプログラムを実行することにより制御される。
【００２０】
図１に示すように、撮影室１００には、放射線撮影を行う放射線撮影装置１が設置されている。また、撮影室１００には、放射線を発生させる放射線発生装置４と、被検者１０を透過した放射線を検出することにより放射線画像を撮影する放射線検出装置７と、放射線検出装置７を保持する撮影台６とが設置されている。
【００２１】
放射線撮影装置１は、放射線画像や各種情報を表示する表示部２と、操作者が操作を行う操作部３と、各構成要素を制御する制御部５とを備えている。
【００２２】
放射線発生装置４は、放射線発生部８における放射線の撮影条件を設定して、放射線発生部８からの放射線の発生を制御する。放射線発生部８は、放射線を発生する放射線源として機能する。放射線発生部８は、例えば、放射線管球（Ｘ線管）により実現され、被検者１０（例えば、被検者の特定部位）に向けて放射線を照射する。
【００２３】
放射線発生部８は、所望の照射範囲に放射線を照射することができる。放射線発生部８の照射面には、放射線を遮蔽する絞り（図示しない）が設置されている。操作者は、放射線を遮蔽する絞りを制御することにより、放射線発生部８から照射される放射線の照射範囲を調整することができる。
【００２４】
放射線撮影システムは、放射線発生部８から照射される放射線を検出する放射線検出装置７を備えている。放射線検出装置７は、被検者１０を透過した放射線を検出し、放射線に応じた放射線画像を出力するものである。なお、放射線画像は、放射線データとも言い換えられる。
【００２５】
具体的には、放射線検出装置７は、被検者１０を透過した放射線を、透過放射線量に相当する電荷として検出する。例えば、放射線検出装置７には、放射線を電荷に変換するａ−Ｓｅなどの放射線を直接的に電荷に変換する直接変換型センサや、ＣｓＩなどのシンチレータとａ−Ｓｉなどの光電変換素子を用いた間接型センサが用いられる。
【００２６】
放射線検出装置７は、持ち運びが可能なカセッテタイプの放射線検出装置であり、放射線発生装置４とともに、検査を実施する撮影室１００へと運ばれる。被検者の大きさや撮影部位に応じて、サイズの異なる放射線検出装置を使い分けて、放射線撮影が実施される。ここでは、撮影台６に設置されている放射線検出装置７が放射線撮影に使用される。
【００２７】
放射線検出装置７は、検出された電荷をＡ／Ｄ変換することにより、放射線画像を生成して記憶部（図示しない）に蓄積する。放射線検出装置７は、画像情報（画像ＩＤ、撮影日時、及び放射線画像の転送状況）を放射線画像に付与して、放射線画像とともに放射線撮影装置１へ転送可能である。
【００２８】
表示部２は、例えば、液晶ディスプレイなどで実現され、各種情報を操作者（例えば、撮影技師や医師など）に対して表示する。操作部３は、例えば、マウスや操作アイコンなどで構成され、操作者からの各種指示を各構成要素に入力する。なお、表示部２と操作部３は、それらが一体となったタッチパネルとして実現されてもよい。
【００２９】
放射線撮影装置１の制御部５は、無線ＬＡＮを介して、放射線検出装置７に接続されている。制御部５と放射線検出装置７の間では、放射線画像や制御信号などが送受信される。すなわち、放射線撮影によって放射線検出装置７に記憶された放射線画像は、無線ＬＡＮを介して制御部５へ出力（転送）される。
【００３０】
放射線撮影装置１は、放射線検出装置７から出力された放射線画像に対して画像処理を行ない、画像を生成する制御部５を備えている。制御部５は、コンピュータ上で動作するアプリケーション機能を有している。制御部５は、放射線検出装置７の動作を制御するとともに、表示部２へ放射線画像を出力したり、グラフィカルユーザーインターフェース（ＧＵＩ）を出力したりする。
【００３１】
本発明の放射線撮影システムの制御部５について、図２を用いて詳細に説明する。制御部５は、放射線検出装置７の撮影制御を行う撮影制御部２１と、撮影により得られた放射線画像の画像処理を行う画像処理部２２と、放射線検出装置７から出力される放射線画像や検査オーダ、撮影プロトコル、撮影方法などの各種情報を記憶する記憶部２３とを備える。また、制御部５は、放射線画像と検査オーダとが関連付けられた検査情報を管理する検査管理部２４と、検査オーダに関連付けられた撮影プロトコルの撮影方法と同じ撮影方法が記憶部２３にあるか否かを判定する判定部２５と、判定部２５における判定条件を設定する判定条件設定部２６とを備える。判定部２５は、検査オーダに関連付けられた撮影プロトコルの撮影方法が記憶部２３に記憶された複数の撮影方法のいずれかと一致するか否かを判定する。
【００３２】
記憶部２３は、検査管理部２４で管理される検査情報と撮影プロトコル、撮影方法、放射線検出装置７から出力される放射線画像、検査管理に必要な各種情報を記憶する。また、記憶部２３は、検査オーダに関連付けられた撮影プロトコルを、撮影プロトコルを識別する識別情報とともに記憶する。
【００３３】
検査管理部２４は、検査オーダが関連付けられた、撮影方法、撮影条件、画像処理条件等が定義された撮影プロトコルを管理する。例えば、放射線撮影装置１にて検査情報を生成する場合、検査管理部２４は操作部３より入力された被検者情報および撮影プロトコルを関連付け、新規の検査情報を作成することもできる。一方、ＲＩＳ１２から検査が依頼される場合、検査管理部２４は受信した検査オーダと関連付けられた撮影プロトコルの識別情報を用いて、記憶部２３に記憶されている撮影プロトコルを抽出する。抽出した撮影プロトコルを検査オーダと関連付け、新規の検査情報を作成する。新規に作成された検査情報は記憶部２３に記憶される。
【００３４】
撮影制御部２１は、放射線検出装置７に蓄積された放射線画像の転送を要する転送要求信号を放射線検出装置７に送信し、放射線検出装置７から放射線画像を受信する。撮影制御部２１は、受信した放射線画像を放射線検出装置７に関する放射線検出装置情報とともに管理する。また、撮影制御部２１は、放射線画像を検査管理部２４にて管理される検査情報、撮影プロトコルと関連付ける。
【００３５】
画像処理部２２は、撮影制御部２１より得た撮影プロトコルおよび画像情報を用いて、放射線画像に画像処理を行う。ここで画像処理された放射線画像は、表示部２において表示される。画像処理部２２は、輝度・コントラストのような画像自体を調整する画像処理を行う。さらに、画像処理部２２は、調整済みの放射線画像に対して、切り出し、アノテーションのような加工処理を行うこともできる。
【００３６】
判定部２５は、検査オーダに関連付けられ、放射線検出装置７で実施された撮影プロトコルが記憶部２３に記憶された撮影プロトコルと同一撮影方法群に属すか否かを判定する。記憶部２３に記憶された撮影プロトコルは、検査管理部２４で管理されている。記憶部２３に記憶された撮影プロトコルは、例えば直近に撮影された撮影プロトコルとなる。言い換えれば、判定部２５は、検査オーダに関連付けられ、放射線検出装置７で実施された放射線撮影の撮影プロトコルが検査管理部２４で管理される撮影プロトコルと同一撮影方法群に属すか否かを判定する。
【００３７】
撮影プロトコルには、撮影方法（撮影部位、撮影方向、撮影姿勢など）と、放射線発生装置４で設定される撮影条件（管電圧、管電流、照射時間など）などが含まれ、記憶部２３は撮影方法と撮影条件を撮影プロトコルとして記憶する。判定部２５は、検査オーダに関連付けられ、放射線検出装置７で実施された放射線撮影の撮影プロトコルの撮影方法と、同一検査内の複数の撮影プロトコルの撮影方法とを比較し、同一撮影方法群に属すか否かを判定することもできる。言い換えれば、判定部２５は、検査オーダに関連付けられ、放射線検出装置７で実施された放射線撮影の撮影プロトコルの撮影方法が同一検査内の撮影プロトコルの撮影方法と同じであるか否かを判定する。
【００３８】
図３は、本発明の判定部２５における同一撮影方法群の判定について説明する図である。図３（ａ）は、記憶部２３で記憶される撮影プロトコルテーブルを示すものである。撮影プロトコルテーブルは、撮影プロトコルに対して、撮影方法、撮影条件、画像処理条件等の各種情報を対応付けるものである。撮影プロトコルテーブルは、当該撮影プロトコルの識別情報（ＩＤ）および撮影プロトコル名を保持する。そして、撮影プロトコルテーブルは、撮影方法、撮影条件、画像処理条件を抽出するための識別情報（ＩＤ）をそれぞれ保持する。撮影プロトコルテーブルにおいて、撮影プロトコルの撮影方法ＩＤが同じものであれば、同じ撮影方法である。例えば、図３（ａ）では、撮影プロトコルＩＤがＰ１とＰ３における撮影方法ＩＤがＴ１であり、同じである。よって、撮影プロトコルＰ１とＰ３における撮影方法は、同じ撮影方法である。
【００３９】
また、撮影プロトコルテーブルにおいて、撮影プロトコルの撮影条件ＩＤが同じものであれば、同じ撮影条件となる。例えば、図３（ａ）では、撮影プロトコルＩＤがＰ１〜Ｐ３における撮影条件ＩＤがＥＸ１であり、同じである。よって、撮影プロトコルＰ１〜Ｐ３における撮影条件は、同じ撮影条件である。同様にして、撮影プロトコルＩＤがＰ４とＰ５における撮影条件ＩＤがＥＸ２であり、同じである。よって、撮影プロトコルＰ４とＰ５における撮影条件は、同じ撮影条件である。
【００４０】
また、撮影プロトコルテーブルにおいて、撮影プロトコルの画像処理条件ＩＤが同じものであれば、同じ画像処理条件である。例えば、図３（ａ）では、撮影プロトコルＩＤがＰ１とＰ６における画像処理条件ＩＤがＩＰ１であり、同じである。よって、撮影プロトコルＰ１とＰ６における画像処理条件は、同じ画像処理条件である。同様にして、撮影プロトコルＩＤがＰ２とＰ７における画像処理条件ＩＤがＩＰ２であり、同じである。よって、撮影プロトコルＰ２とＰ７における画像処理条件は、同じ画像処理条件である。
【００４１】
図３（ｂ）は、図３（ａ）で示した撮影プロトコルの撮影条件ＩＤを分類した撮影方法テーブルを示すものである。撮影方法テーブルは、当該撮影方法のＩＤを保持する。さらに、撮影部位、撮影方向、撮影姿勢などの放射線撮影における被検者の撮影情報を保持する。なお、放射線発生部８と放射線検出装置７との距離、被検者１０の体厚などが撮影方法の情報として保持してもよい。
【００４２】
撮影方法テーブルの撮影方法ＩＤにおいて、少なくとも撮影部位と撮影方向が同じものであれば、同じ撮影方法とする。例えば、図３（ｂ）では、撮影方法ＩＤがＴ１とＴ９における撮影方法の撮影部位が胸部、撮影方向がＰｏｓｔｅｒｉｏｒ／Ａｎｔｅｒｉｏｒであり、同じである。よって、撮影方法ＩＤがＴ１とＴ９における撮影方法は、同じ撮影方法である。
【００４３】
そして、判定部２５は、撮影プロトコルテーブルに基づいて、検査オーダに関連付けられ、放射線検出装置７で実施された撮影プロトコルと同一撮影方法群に属す撮影プロトコルがあるか否かを判定する。
【００４４】
図３（ａ）に示すように、撮影プロトコルテーブルにおいて、撮影プロトコルの撮影方法ＩＤが同じものであれば、同じ撮影方法としている。判定部２５は、撮影プロトコルテーブルに基づいて、検査オーダに関連付けられ、放射線検出装置７で実施された撮影プロトコルと同一撮影方法群に属す撮影プロトコルがあるか否かを判定する。例えば、図３（ａ）では、胸部ＰＡの撮影プロトコルＰ１と塵肺の撮影プロトコルＰ３は、撮影方法ＩＤがＴ１であり、同じである。撮影方法ＩＤが同じであることは、同一部位を同一方向から撮影する撮影プロトコルであることを示している。
【００４５】
塵肺の撮影プロトコルＰ３の画像処理である塵肺用処理は、通常の画像処理を適用した放射線画像とは別に、塵肺用に予め定められた画像処理を適用して放射線画像を生成する処理である。具体的には、塵肺用処理は、通常の画像処理と比べて、周波数成分ごとの階調変換、輝度、コントラスト、エッジ強調、ノイズ除去に関する画像処理パラメータが異なる。
【００４６】
ここでは、図３（ａ）に示す撮影プロトコルテーブルが記憶部２３で記憶され検査管理部２４で管理される撮影プロトコル、若しくは同一検査内の検査オーダと関連付けられた撮影プロトコルである。判定部２５は、被検者の検査オーダと関連付けられた撮影プロトコルの撮影方法が撮影プロトコルテーブルにおける撮影方法と一致するか否かを判定する。つまり、判定部２５は、被検者の検査オーダと関連付けられた撮影プロトコルが撮影プロトコルテーブルの同一撮影方法群に属すか否かを判定する。
【００４７】
そして、被検者の検査オーダに含まれる撮影方法と、撮影プロトコルテーブルにおける撮影方法とが一致する場合、画像処理部２２は放射線画像に対して撮影プロトコルテーブルにおける撮影方法の画像処理と同じ画像処理を行ない、放射線画像を生成する。
【００４８】
例えば、新たな検査オーダと関連付けられた撮影プロトコルの撮影方法がＴ１とすると、判定部２５は、被検者の検査オーダと関連付けられた撮影プロトコルの撮影方法が撮影プロトコルテーブルにおける撮影方法Ｔ１と一致すると判定する。画像処理部２２は当該放射線画像に対して撮影プロトコルテーブルにおける撮影方法の画像処理（胸部ＰＡ用の画像処理、塵肺用処理）を行ない、それぞれの放射線画像を生成する。
【００４９】
ここでは、図３（ｂ）に示す撮影方法Ｔ２と撮影方法Ｔ９のように、例えば、撮影姿勢が同じでなくとも同一撮影方法を判定していた。つまり、少なくとも撮影部位と撮影方向が同じものであれば、同じ撮影方法としていた。そこで、判定条件設定部２６は、判定部２５における判定条件を設定することができる。判定条件設定部２６は、判定部２５における判定条件である撮影部位と撮影方向に撮影姿勢を加えることができる。具体的には、判定部２５は、被検者の検査オーダと関連付けられた撮影プロトコルの撮影部位と撮影方向と撮影姿勢が同じものが撮影プロトコルテーブルにあれば、同じ撮影方法であると判定する。被検者の検査オーダと関連付けられた撮影プロトコルの撮影部位と撮影方向と撮影姿勢が撮影プロトコルテーブルにおける撮影部位と撮影方向と撮影姿勢と一致する場合、画像処理部２２は放射線画像に対して撮影プロトコルテーブルにおける撮影方法の画像処理と同じ画像処理を行ない、放射線画像を生成する。
【００５０】
図３（ｃ）は、記憶部２３で記憶される撮影条件テーブルを示すものである。撮影条件テーブルは、当該撮影条件の識別情報（ＩＤ）を保持する。さらに、ＥＩＴ（Ｅｘｐｏｓｕｒｅ  Ｉｎｄｅｘ  Ｔａｒｇｅｔ）など、放射線発生装置４より発生させる放射線に関する撮影条件を保持する。判定部２５は、被検者の検査オーダと関連付けられた撮影プロトコルの撮影部位と撮影方向と撮影条件が同じものが撮影プロトコルテーブルにあれば、同じ撮影方法であると判定する。被検者の検査オーダと関連付けられた撮影プロトコルの撮影部位と撮影方向と撮影条件が撮影プロトコルテーブルにおける撮影部位と撮影方向と撮影条件と一致する場合、画像処理部２２は放射線画像に対して撮影プロトコルテーブルにおける撮影方法の画像処理と同じ画像処理を行ない、放射線画像を生成する。
【００５１】
ここで、図３（ａ）に示すように、胸部ＰＡの撮影プロトコルＰ１と塵肺の撮影プロトコルＰ３は撮影方法ＩＤに加えて、撮影条件ＩＤも同じである。撮影方法ＩＤおよび撮影条件ＩＤが同じであることは、上述の同一撮影方法かつ放射線発生装置４より同じ放射線を照射して撮影を実施することを示している。判定部２５は、これらの撮影プロトコルを同一撮影方法群に属すと判定する。図３（ｃ）には撮影条件として管電流、管電圧、照射時間、ＥＩＴのパラメータを例示したが、必ずしもこれらのパラメータである必要はない。判定部２５は、放射線発生装置４の管電流と管電圧と照射時間が一致していれば、同一の撮影条件と判定することもでき、判定部２５は、放射線発生装置４の管電流と管電圧が一致していれば、同一の撮影条件と判定することもできる。判定条件設定部２６は、判定部２５における撮影条件に関する判定条件について設定することもできる。そして、判定部２５は、被検者の検査オーダと関連付けられた撮影プロトコルの撮影条件が同じものが撮影条件テーブルにあれば、同じ撮影条件であると判定する。
【００５２】
図３（ｄ）は、記憶部２３で記憶される画像処理条件テーブルを示すものである。画像処理条件テーブルは、当該画像処理条件の識別情報（ＩＤ）を保持する。さらに、輝度、コントラスト、強調処理などの撮影した画像に施す画像処理のパラメータなど、画像処理条件を保持する。判定条件設定部２６は、判定部２５における判定条件である撮影部位と撮影方向に画像処理条件を加えることもできる。
【００５３】
このように、判定条件設定部２６は、判定部２５における判定条件について任意に設定することができ、判定部２５が撮影方法を判定するのに必須である撮影部位と撮影方向に加えて、判定パラメータ（撮影姿勢、撮影条件など）を設定することができる。
【００５４】
図４は、本発明の放射線撮影システムの表示部２の表示形態を示す。図４は、実施する検査が指定され、検査開始の指示を受け表示部２に表示される撮影画面を示している。図４に示すように、表示部２は、撮影画像表示領域１１０と、被検者情報１０４と、検査情報１０５と、撮影プロトコルに対応した撮影プロトコルのアイコン１０９（胸部ＰＡアイコン１０９ａ、塵肺アイコン１０９ｂ、胸部ＬＬアイコン１０９ｃ）と、画像処理設定領域１１２を表示する。被検者情報１０４は、被検者名、被検者ＩＤ、生年月日、性別といった被検者情報である。
【００５５】
撮影画面が表示されると、検査情報１０５内で最も上部に配された撮影プロトコルのアイコン１０９ａがデフォルトで選択状態になっている。これに伴って、放射線撮影装置１の制御部５は、当該撮影プロトコルに対応して設定された撮影条件（管電圧、管電流、照射時間等）を放射線発生装置４に向けて送信する。さらに、制御部５は、当該撮影方法情報に従って放射線検出装置７を制御して撮影の準備を整える。
【００５６】
撮影の準備が整うと、放射線撮影装置１は、撮影可能状態へ遷移する。このとき、メッセージ領域１１１には、撮影可能状態であることを示す「Ｒｅａｄｙメッセージ」が表示される。
【００５７】
このとき、判定部２５の判定結果に基づいて、表示部２は、撮影可能状態となった撮影プロトコルと同じ撮影方法群に属す撮影プロトコルのアイコンを強調表示する。具体的には、表示部２は、撮影可能状態にある胸部ＰＡアイコン１０９ａと同じ撮影方法群に属す塵肺アイコン１０９ｂを強調表示する。アイコンの強調表示とは、アイコンの表示形態（例えば、アイコンの色、枠など）が変わり、他のアイコンと区別することができる表示である。操作者は、撮影可能状態となった撮影プロトコルと同じ撮影方法群に属す撮影プロトコルがあることを把握することができる。
【００５８】
続いて、操作者は、撮影方法を確認し、撮影のセッティング及び被検者のポジショニングを行う。一連の撮影準備が完了すると、操作者は、メッセージ領域１１１を参照して撮影可能状態であることを確認した後、放射線を発生させる放射線発生装置４の放射線照射スイッチ（図示しない）を押下する。すると、放射線撮影制御装置１は、放射線発生部８により被検者（被検者の撮影部位）に向けて放射線を照射させ、放射線検出装置７により当該被検者を透過した放射線を検出させる。これにより、放射線画像の撮影が行われる。
【００５９】
撮影が完了すると、放射線撮影装置１の制御部５は、放射線検出装置７から撮影画像を取得するとともに、画像処理部２２は放射線画像に対して所定の画像処理条件に基づいて画像処理を実施する。所定の画像処理条件は、撮影方法に対応して予め規定されている。同一検査内に撮影が完了した撮影プロトコルと同じ撮影方法群に属す撮影プロトコルがある場合、当該撮影プロトコルに対しても、画像処理部２２は上述の所定の画像処理条件に基づいた画像処理を実施する。
【００６０】
撮影済の撮影プロトコルのアイコンを操作することによって、撮影画像表示領域１１０に表示する画像を切り替える。撮影完了時には胸部ＰＡアイコン１０９ａに対応する胸部ＰＡプロトコルの放射線画像が撮影画像表示領域１１０に表示されている。操作者は、塵肺アイコン１０９ｂを操作することで塵肺プロトコルの放射線画像を表示することができる。
【００６１】
画像処理が終了すると、放射線撮影装置１は、当該画像処理された撮影画像を撮影画像表示領域１１０に表示する。操作者は、当該撮影画像のコントラスト等を変更したい場合、画像処理設定領域１１２に設けられたコントラストや輝度等のアイコンを操作する。
【００６２】
同様に、出力画像の切り出し領域を変更したい場合は、切り出しアイコン１２２および切り出し枠１２６等を操作し、所望の切り出し領域を指定する。診断情報となる文字列を付与する場合、アノテーションアイコン１２３等を操作し、アノテーション１２７に示すような文字列を画像上に重ねる。放射線画像の向きが診断に適さない場合、回転アイコン１２０、反転アイコン１２１等を使って幾何変換を行う。放射線画像が診断に適さない場合、再撮影アイコン１２４、写損アイコン１２５等を使って再撮影や写損の設定を行う。以上のように、操作者は、当該撮影画像表示領域１１０に表示された放射線画像に対して追加の画像編集を実施できる。
【００６３】
操作者は、上述した手順を繰り返して撮影情報表示領域１０５内の全撮影プロトコルのアイコンの撮影を実施する。全ての撮影が終了すると、操作者は、検査終了アイコン１１３を押下する。これにより、一連の検査が終了する。
【００６４】
次に、図５に示すフローチャートを参照しながら、撮影および画像処理の適用処理の手順を説明する。
【００６５】
まず、操作者は操作部３より実施する検査オーダを作成し、検査開始を指示する。検査オーダをＲＩＳ１２より受信する場合は、表示部２に一覧表示し、操作者は一覧より選択する。（Ｓ１０１）
【００６６】
制御部５は、表示部２に図４に示す撮影画面を表示する。操作者は、撮影プロトコルのアイコン１０９を操作し、撮影プロトコルを指定する。検査開始指示に伴い、自動的に先頭の撮影プロトコルのアイコンを指定してもよい。（Ｓ１０２）
【００６７】
操作者は、放射線発生装置４および放射線検出装置７を被検者１０に対して設置し、撮影の準備を行う。撮影の準備が整ったら、放射線を発生させる放射線発生装置４の放射線照射スイッチを押下し、放射線検出装置７に向け放射線を照射する。放射線を検出した放射線検出装置７は放射線画像を生成する。（Ｓ１０３）
【００６８】
撮影制御部２１は、放射線検出装置７より撮影実施通知を受け、生成された放射線画像を受信する。受信した放射線画像は検査管理部２４にて実施した撮影プロトコルと関連付けられ、記憶部２３に記憶される。（Ｓ１０４）
【００６９】
撮影制御部２１は、さらに、受信した放射線画像に対し、画像処理部２２で画像処理を施させる。この時に用いられる画像処理条件は、例えば図３（ａ）及び図３（ｄ）に示すように、撮影プロトコルに対して予め設定されている。（Ｓ１０５）画像処理された放射線画像は、表示部２に表示される。これで、Ｓ１０３の撮影についての一連のフローが完了する。（Ｓ１０６）
【００７０】
ここで、判定部２５は、放射線検出装置７で実施された撮影プロトコルが記憶部２３に記憶された撮影プロトコルと同一撮影方法群に属すか否かを判定したり、実施中の同一検査内に撮影を実施した撮影プロトコルと同じ撮影方法群に属す撮影プロトコルの有無を判定したりする。（Ｓ１０７）
【００７１】
同じ撮影方法群に属す撮影プロトコルがあった場合、検査管理部２４は該撮影プロトコルと放射線画像を関連付ける。さらに、画像処理部２２にて、同じ撮影方法群に属す撮影プロトコルに基づいて画像処理を実施する。（Ｓ１０８）上述の処理を検査内に同じ撮影方法群に属す撮影プロトコルがなくなるまで実施する。画像処理をした放射線画像は、撮影プロトコルのアイコン１０９を指示することで、表示部２に表示できる。
【００７２】
以上、本実施例によれば、複数の撮影プロトコルに対応させて複数の撮影方法を記憶する記憶部２３と、検査オーダに関連付けられた撮影プロトコルの撮影方法が記憶部２３に記憶された複数の撮影方法のいずれかと一致するか否かを判定する判定部２５と、判定部２５が一致すると判定した場合、該一致する撮影方法に対応する撮影プロトコルの画像処理を検査オーダに関連付けられた撮影プロトコルに基づいて撮影された放射線画像に対して適用する画像処理部２２とを備える。よって、検査オーダに関連付けられた撮影プロトコルに基づいて画像処理を適宜行うことにより、放射線撮影を効率的に実施することができる
【実施例２】
【００７３】
本発明の放射線撮影システムの実施例２について、図６を用いて説明する。実施例１は直前の撮影によって得られた放射線画像を同じ撮影方法群に属す撮影プロトコルへ適用する実施形態である。実施例２は、期間が指定された過去に撮影された同じ撮影方法群の撮影プロトコルの放射線画像を適用する例である。
【００７４】
本実施例の構成については、実施例１と同様であるため、説明を省略する。ここでは、本発明の放射線撮影システムの動作について、図６に示すフローチャートを用いて説明する。
【００７５】
まず、操作者は実施例１のＳ１０１と同様に検査を開始する。（Ｓ２０１）
【００７６】
続けて、操作者は撮影プロトコルのアイコン１０９を操作し、撮影プロトコルを指定する。（Ｓ２０２）
【００７７】
検査管理部２４は、記憶部２３に記憶した同一被検者の撮影プロトコルを抽出する。抽出する撮影プロトコルは当日より予め設定した一定期間内に撮影された撮影プロトコルに限る。（Ｓ２０３）
【００７８】
判定部２５は同一被検者の撮影プロトコルから、Ｓ２０１で指定した撮影プロトコルと同じ撮影方法群に属する撮影プロトコルの有無を判定する。（Ｓ２０４）
【００７９】
同じ撮影方法群に属する撮影プロトコルが有った場合、表示部２に撮影プロトコルを一覧表示する。（Ｓ２０４）
【００８０】
操作者は、撮影プロトコルの一覧より放射線画像を選択する。選択の判断材料として、撮影プロトコルの一覧には、撮影日時、撮影プロトコル名称、サムネイル画像などを表示するとよい。（Ｓ２０５）
【００８１】
検査管理部２４は、Ｓ２０２で指定された撮影プロトコルとＳ２０５で選択された放射線画像を関連付けて記憶部２３に記憶する。
【００８２】
撮影制御部２１は、さらに、選択された放射線画像に対し、画像処理部２２で画像処理を実施させる。実施例１のＳ１０５と同様に、撮影プロトコルに予め設定された画像処理が実施される。（Ｓ２０７）
【００８３】
画像処理を終えた放射線画像が表示部２に表示される。（Ｓ２０８）
【符号の説明】
【００８４】
１  放射線撮影装置
２  表示部
３  操作部
４  放射線発生装置
５  制御部
６  撮影台
７  放射線検出装置
８  放射線発生部
１０  被検者
２１  撮影制御部
２２  画像処理部
２３  記憶部
２４  検査管理部
２５  判定部
２６  判定条件設定部
【図１】
2020039608.tif 000003
【図２】
2020039608.tif 000004
【図３】
2020039608.tif 000005
【図４】
2020039608.tif 000006
【図５】
2020039608.tif 000007
【図６】
2020039608.tif 000008